(57)【要約】【課題】携帯時における装置全体のコンパクト化を実現し得て携帯性を向上させることができ、照明を行う際においても被照明体を確実に照らし得、しかも、持ち運び時においても光源が破損する虞を低減させ得る携帯型照明装置を提供すること。【解決手段】携帯型照明装置１は、筐体５の前面３の辺６に一縁７が当該辺６を回転軸心６ａとして回転自在に取り付けられた板状体８と、辺６に相対する筐体５の前面３の第二の辺９に一縁１０が当該辺９を回転軸心９ａとして回転自在に取り付けられた板状体１１と、辺６及び辺９に隣接する筐体５の前面３の辺１２に一縁１３が当該辺１２を回転軸心１２ａとして回転自在に取り付けられた板状体１４と、辺６及び辺９に隣接すると共に辺１２に相対する筐体５の前面３の辺１５に一縁１６が当該辺１５を回転軸心１５ａとして回転自在に取り付けられた板状体１７とを具備している。【選択図】図１
2010062083.tif 000002
【特許請求の範囲】
【請求項１】
周縁が四辺形状である前面を向いて複数の光源が配設された筐体と、この筐体の前面の周縁の第一の辺に一縁が当該第一の辺を回転軸心として回転自在に取り付けられた第一の板状体と、第一の辺に相対する筐体の前面の第二の辺に一縁が当該第二の辺を回転軸心として回転自在に取り付けられた第二の板状体と、第一の辺及び第二の辺に隣接する筐体の前面の第三の辺に一縁が当該第三の辺を回転軸心として回転自在に取り付けられている第三の板状体と、第一の辺及び第二の辺に隣接すると共に第三の辺に相対する筐体の前面の第四の辺に一縁が当該第四の辺を回転軸心として回転自在に取り付けられている第四の板状体とを具備しており、第三の板状体及び第四の板状体の夫々の回転軸心は、筐体の前面に沿って配された状態の第一の板状体及び第二の板状体を当該第三の板状体及び第四の板状体の筐体の前面に向かう回転により覆うことができるように、第一の板状体及び第二の板状体の夫々の回転軸心に対して前方側に位置している携帯型照明装置。
【請求項２】
第三の板状体及び第四の板状体は、第三の板状体及び第四の板状体の回転軸心に交差する方向に関して、筐体の前面に沿って配された状態の第三の板状体の一縁に相対する他の一縁と筐体の前面に沿って配された状態の第四の板状体の一縁に相対する他の一縁とが互いに接触する程度の長さを夫々有している請求項１に記載の携帯型照明装置。
【請求項３】
第一の板状体及び第二の板状体は、第一の板状体及び第二の板状体の回転軸心に交差する方向に関して、筐体の前面に沿って配された状態の第一の板状体の一縁に相対する他の一縁と筐体の前面に沿って配された状態の第二の板状体の一縁に相対する他の一縁とが互いに接触する程度の長さを夫々有している請求項１又は２に記載の携帯型照明装置。
【請求項４】
第三の板状体及び第四の板状体のうちの少なくとも一つは、第一の板状体及び第二の板状体のうちの少なくとも一方の筐体の前面から離反する方向の所定角以上の回転を禁止するように、当該第一の板状体及び第二の板状体のうちの少なくとも一方を係止する係止部を具備しており、第三の板状体及び第四の板状体のうちの少なくとも一つは、第一の板状体及び第二の板状体のうちの少なくとも他方の筐体の前面から離反する方向の所定角以上の回転を禁止するように、当該第一の板状体及び第二の板状体のうちの少なくとも他方を係止する係止部を具備している請求項１から３のいずれか一項に記載の携帯型照明装置。
【発明の詳細な説明】
【技術分野】
【０００１】
本発明は、テレビスタジオ、写真スタジオ、舞台等における照明、ロケーションにおける照明に用いられるフラットライト等の複数の光源を具備した携帯型照明装置に関する。
【背景技術】
【０００２】
【特許文献１】特開平１１−２７３４０１号公報
【０００３】
例えば、特許文献１においては、一つの交流アーク放電管ランプからなる光源を具備した携帯型照明装置が提案されている。
【発明の開示】
【発明が解決しようとする課題】
【０００４】
ところで、斯かる携帯型照明装置においては、装置全体のコンパクト化を図り、もって携帯性を向上することが望まれるが、照明を行う際には被照明体を確実に照らす機能も維持されなければならない。斯かる携帯型照明装置が複数の光源を具備している場合には、装置全体のコンパクト化はより強く望まれる。加えて、携帯型照明装置の光源が持ち運び時においても露呈している場合には、光源に不意に衝撃が加わった際に破損する虞がある。
【０００５】
本発明は、前記諸点に鑑みてなされたものであり、その目的とするところは、携帯時における装置全体のコンパクト化を実現し得て携帯性を向上させることができ、照明を行う際においても被照明体を確実に照らし得、しかも、持ち運び時においても光源が破損する虞を低減させ得る携帯型照明装置を提供することにある。
【課題を解決するための手段】
【０００６】
本発明の携帯型照明装置は、周縁が四辺形状である前面を向いて複数の光源が配設された筐体と、この筐体の前面の周縁の第一の辺に一縁が当該第一の辺を回転軸心として回転自在に取り付けられた第一の板状体と、第一の辺に相対する筐体の前面の第二の辺に一縁が当該第二の辺を回転軸心として回転自在に取り付けられた第二の板状体と、第一の辺及び第二の辺に隣接する筐体の前面の第三の辺に一縁が当該第三の辺を回転軸心として回転自在に取り付けられている第三の板状体と、第一の辺及び第二の辺に隣接すると共に第三の辺に相対する筐体の前面の第四の辺に一縁が当該第四の辺を回転軸心として回転自在に取り付けられている第四の板状体とを具備しており、第三の板状体及び第四の板状体の夫々の回転軸心は、筐体の前面に沿って配された状態の第一の板状体及び第二の板状体を当該第三の板状体及び第四の板状体の筐体の前面に向かう回転により覆うことができるように、第一の板状体及び第二の板状体の夫々の回転軸心に対して前方側に位置している。
【０００７】
本発明の携帯型照明装置によれば、特に、第三の板状体及び第四の板状体の夫々の回転軸心は、筐体の前面に沿って配された状態の第一の板状体及び第二の板状体を当該第三の板状体及び第四の板状体の筐体の前面に向かう回転により覆うことができるように、第一の板状体及び第二の板状体の夫々の回転軸心に対して前方側に位置しているために、持ち運ぶ際において第一の板状体、第二の板状体、第三の板状体及び第四の板状体が複数の光源を覆うように筐体の前面と平行状態になるまで折り畳むことができる一方、照明を行う際において第一の板状体、第二の板状体、第三の板状体及び第四の板状体を展開することができ、而して、携帯時における装置全体のコンパクト化を実現し得て携帯性を向上させることができ、照明を行う際においても被照明体を確実に照らし得、しかも、持ち運び時においても光源等が破損する虞を低減させ得る。
【０００８】
本発明の携帯型照明装置の好ましい例では、第三の板状体及び第四の板状体は、第三の板状体及び第四の板状体の回転軸心に交差する方向に関して、筐体の前面に沿って配された状態の第三の板状体の一縁に相対する他の一縁と筐体の前面に沿って配された状態の第四の板状体の一縁に相対する他の一縁とが互いに接触する程度の長さを夫々有している。このような好ましい例によれば、筐体の前面をより確実に覆うことができ、而して、持ち運び時に光源等が破損する虞を更に低減させ得る。
【０００９】
本発明の携帯型照明装置の好ましい例では、第一の板状体及び第二の板状体は、第一の板状体及び第二の板状体の回転軸心に交差する方向に関して、筐体の前面に沿って配された状態の第一の板状体の一縁に相対する他の一縁と筐体の前面に沿って配された状態の第二の板状体の一縁に相対する他の一縁とが互いに接触する程度の長さを夫々有している。このような好ましい例によれば、筐体の前面をより確実に覆うことができ、而して、持ち運び時に光源等が破損する虞を更に低減させ得る。
【００１０】
本発明の携帯型照明装置の好ましい例では、第三の板状体及び第四の板状体のうちの少なくとも一つは、第一の板状体及び第二の板状体のうちの少なくとも一方の筐体の前面から離反する方向の所定角以上の回転を禁止するように、当該第一の板状体及び第二の板状体のうちの少なくとも一方を係止する係止部を具備しており、第三の板状体及び第四の板状体のうちの少なくとも一つは、第一の板状体及び第二の板状体のうちの少なくとも他方の筐体の前面から離反する方向の所定角以上の回転を禁止するように、当該第一の板状体及び第二の板状体のうちの少なくとも他方を係止する係止部を具備している。このような好ましい例によれば、第一の板状体、第二の板状体、第三の板状体及び第四の板状体を筐体の前面から離反する方向に回転させて複数の光源を露呈させ、照明可能な状態とした場合において、斯かる第一の板状体、第二の板状体、第三の板状体及び第四の板状体の回転角を保持することができ、而して、折り畳み可能ながらにしてより好適な照明をも行い得る。
【発明の効果】
【００１１】
本発明によれば、携帯時における装置全体のコンパクト化を実現し得て携帯性を向上させることができ、照明を行う際においても被照明体を確実に照らし得、しかも、持ち運び時においても光源が破損する虞を低減させ得る携帯型照明装置を提供し得る。
【発明を実施するための最良の形態】
【００１２】
次に本発明を、図に示す好ましい実施の形態の例に基づいて更に詳細に説明する。なお、本発明はこれら例に何等限定されないのである。
【００１３】
図１から図７において、本例の携帯型照明装置１は、周縁２が四辺形状、本例では矩形状である前面３を向いて複数の光源、本例では六個の光源４ａ、４ｂ、４ｃ、４ｄ、４ｅ及び４ｆが配設された筐体５と、筐体５の前面３の周縁２の第一の辺６に一縁７が当該辺６を回転軸心６ａとして回転自在に取り付けられた第一の板状体８と、辺６に相対する筐体５の前面３の第二の辺９に一縁１０が当該辺９を回転軸心９ａとして回転自在に取り付けられた第二の板状体１１と、辺６及び辺９に隣接する筐体５の前面３の第三の辺１２に一縁１３が当該辺１２を回転軸心１２ａとして回転自在に取り付けられている第三の板状体１４と、辺６及び辺９に隣接すると共に辺１２に相対する筐体５の前面３の第四の辺１５に一縁１６が当該辺１５を回転軸心１５ａとして回転自在に取り付けられている第四の板状体１７と、筐体５に回転自在に取り付けられていると共に支持軸等（図示せず）に着脱自在に装着される支持枠１８と、筐体５の内部に収容された電源１９とを具備している。本例の携帯型照明装置１はいわゆるフラットライトである。
【００１４】
筐体５は、上枠４１と、下枠４２と、上枠４１及び下枠４２を橋絡する一対の側枠４３と、上枠４１、下枠４２及び一対の側枠４３の夫々の後端縁に取り付けられた後枠４４と、Ｘ方向（前後方向）において後枠４４よりも前方に且つ上枠４１、下枠４２及び一対の側枠４３の前端縁よりも後方に位置して上枠４１、下枠４２及び一対の側枠４３に取り付けられた板状の光源取付部材４５とを具備している。前面３は、上枠４１、下枠４２及び一対の側枠４３の前端縁によって画成される仮想面であり、斯かる前面３の周縁２は、本例では矩形状である。光源取付部材４５には光源４ａ、４ｂ、４ｃ、４ｄ、４ｅ及び４ｆの個数に対応した数の光源取付用の孔４６が設けられている。筐体５には、放熱口や放熱板が形成されていてもよい。辺６は、Ｘ方向に直交するＹ方向（横方向）において辺９に相対しており、辺１２は、Ｘ方向及びＹ方向に直交するＺ方向（上下方向）において辺１５に相対している。
【００１５】
光源４ａ、４ｂ及び４ｃは、Ｙ方向において互いに等間隔をもって並置されており、光源４ｄ、４ｅ及び４ｆは、Ｙ方向において互いに等間隔をもって並置されている。光源４ａ及び４ｄ、４ｂ及び４ｅ並びに４ｃ及び４ｆの夫々は、Ｚ方向において互いに等間隔をもって並置されている。光源４ａ、４ｂ、４ｃ、４ｄ、４ｅ及び４ｆは、夫々互いに略同様に形成されているので、以下、光源４ａについて説明し、光源４ｂ、４ｃ、４ｄ、４ｅ及び４ｆについては図に適宜同符号を付してこれらの説明を省略する。
【００１６】
光源４ａは、光源取付部材４５に着脱自在に取り付けられた光源本体５１と、光源本体５１の発光側に装着されて光源取付部材４５から前面３に向かって拡径して配されているカバー５２とを具備している。カバー５２には光源本体５１からの光を反射し得るようにメッキ処理等が施されている。
【００１７】
光源本体５１は、例えば白熱電球、交流アーク放電管ランプ（メタルハライドランプ）等を具備して具体化され得るが、本例では、発光ダイオード（ＬＥＤ）を具備してなる。斯かる光源本体５１は、例えば図６及び図７に示すように、複数の発光ダイオード６２ａが互いに電気的に接続されて配列されている発光ダイオード列６２と、複数の発光ダイオード６３ａが互いに電気的に接続されて配列されている発光ダイオード列６３と、複数の発光ダイオード６４ａが互いに電気的に接続されて配列されている発光ダイオード列６４と、発光ダイオード列６２、６３及び６４が並置された正面視円形状の絶縁体６５と、絶縁体６５が装着されていると共に光源取付部材４５に取り付けられる取付部材６６とを具備している。
【００１８】
円周方向Ａにおいて互いに隣接配置された発光ダイオード列６２、６３及び６４は、夫々互いに共通の一方の極（電極）５５及び極５５の位置を中心Ｏとして放射方向Ｂに離れた他方の極（電極）５６ａ、５６ｂ及び５６ｃの夫々に複数の発光ダイオード６２ａ、６３ａ及び６４ａが夫々挟まれてなる列である。複数の発光ダイオード６２ａの夫々は放射方向Ｂにおいて互いに等間隔をもって配されており、複数の発光ダイオード６３ａの夫々は放射方向Ｂにおいて互いに等間隔をもって配されており、複数の発光ダイオード６４ａの夫々は放射方向Ｂにおいて互いに等間隔をもって配されている。複数の発光ダイオード６２ａ、６３ａ及び６４ａの夫々は、消費電力１Ｗ〜２Ｗ程度であり、平面状の発光面を有している。発光ダイオード列６２、６３及び６４の夫々の発光色は互いに同色であっても、異色であってもよく、例えば、発光ダイオード列６２が複数の発光ダイオード６２ａとしての赤色発光ダイオードの発光によって赤色発光し、発光ダイオード列６３が複数の発光ダイオード６３ａとしての緑色発光ダイオードの発光によって緑色発光し、発光ダイオード列６４が複数の発光ダイオード６４ａとしての青色発光ダイオードの発光によって青色発光するようになっていてもよく、斯かる場合には、赤、緑、青の三つの原色を混ぜる加法混色により多彩な照明演出を実現し得る。
【００１９】
板状体８は、一縁７がヒンジを介して回転軸心６ａを中心としてｒ１及びｒ２方向に回転自在に一方の側枠４３の前端縁によって形成される周縁２の辺６に取り付けられている矩形板状の本体７１と、図１に示すように本体７１の上縁７２が板状体１１側に向かって９０°に折り曲げられてなる被係止部７３と、図１に示すように本体７１の下縁７４が板状体１１側に向かって９０°に折り曲げられてなる被係止部７５とを具備している。
【００２０】
板状体８と同様に形成されている板状体１１は、一縁１０がヒンジを介して回転軸心９ａを中心としてｒ１及びｒ２方向に回転自在に他方の側枠４３の前端縁によって形成される周縁２の辺９に取り付けられている矩形板状の本体８１と、図１に示すように本体８１の上縁８２が板状体８側に向かって９０°に折り曲げられてなる被係止部８３と、図１に示すように本体８１の下縁８４が板状体８に向かって９０°に折り曲げられてなる被係止部８５とを具備している。
【００２１】
板状体８及び１１は、当該板状体８及び１１の回転軸心６ａ及び９ａに直交する方向に関して、筐体５の前面３に沿ってＹ方向に伸びて配された状態の板状体８の一縁７に相対する他の一縁２１と筐体５の前面３に沿ってＹ方向に伸びて配された状態の板状体１１の一縁１０に相対する他の一縁２２とが互いに接触する程度の長さＬ１を夫々有していてもよい。板状体８及び１１の長さＬ１は互いに等しい。
【００２２】
板状体１４は、一縁１３がヒンジを介して回転軸心１２ａを中心としてＲ１方向及びＲ２方向に回転自在に上枠４１に取り付けられている矩形板状の本体９１と、図１に示すように本体９１のＹ方向における一方の側縁９２が板状体１７に向かって９０°に折り曲げられており、板状体８の筐体５の前面３から離反するｒ２方向の所定角、本例では前面３に対する回転角度９０°以上の回転を禁止するように、当該板状体８を係止する係止部３１と、図１に示すように本体９１のＹ方向における他方の側縁９４が板状体１７に向かって９０°に折り曲げられており、板状体１１の筐体５の前面３から離反するｒ２方向の所定角、本例では前面３に対する回転角度９０°以上の回転を禁止するように、当該板状体１１を係止する係止部３２とを具備している。
【００２３】
板状体１７は、一縁１６がヒンジを介して回転軸心１５ａを介してＲ１方向及びＲ２方向に回転自在に下枠４２に取り付けられている矩形板状の本体１０１と、図１に示すように本体９１のＹ方向における一方の側縁１０２が板状体１４に向かって９０°に折り曲げられており、板状体８の筐体５の前面３から離反するｒ２方向の所定角、本例では前面３に対する回転角度９０°以上の回転を禁止するように、当該板状体８を係止する係止部３３と、図１に示すように本体１０１のＹ方向における他方の側縁１０４が板状体１４に向かって９０°に折り曲げられており、板状体１１の筐体５の前面３から離反するｒ２方向の所定角、本例では前面３に対する回転角度９０°以上の回転を禁止するように、当該板状体１１を係止する係止部３４とを具備している。
【００２４】
板状体１４及び１７の夫々の回転軸心１２ａ及び１５ａは、筐体５の前面３に沿って配された状態の板状体８及び１１を当該板状体１４及び１７の筐体５の前面３に向かうＲ１方向の回転により覆うことができるように、板状体８及び１１の夫々の回転軸心６ａ及び９ａに対して前方側に位置している。
【００２５】
板状体１４及び１７は、当該板状体１４及び１７の回転軸心１２ａ及び１５ａに直交する方向に関して、筐体５の前面３に沿ってＹ方向に伸びて配された状態の板状体１４の一縁１３に相対する他の一縁２３と筐体５の前面３に沿ってＹ方向に伸びて配された状態の板状体１７の一縁１６に相対する他の一縁２４とが互いに接触する程度の長さＬ２を夫々有している。板状体１４及び１７の長さＬ２は互いに等しい。
【００２６】
以上の携帯型照明装置１では、まず、図２に示す状態の板状体８及び１１を前面３に向かってｒ１方向に回転させて前面３に沿って伸びた図４に示す状態にし、次に、板状体１４及び１７を前面３に向かってＲ１方向に回転させて前面３に沿って伸びた図５に示す状態にし且つ一縁２３及び２４が互いに当接した状態にする。このようにして、携帯型照明装置１を持ち運び容易となるようにコンパクトな状態にすることができる。このようにコンパクトに折り畳まれた携帯型照明装置１は、上記と逆の手順で展開し、光源４ａ、４ｂ、４ｃ、４ｄ、４ｅ及び４ｆを露呈させて照明可能な状態にすることができる。この際、投光側は板状体８、１１、１４及び１７によって仕切られているので照明を好適に行い得る。光源４ａ、４ｃ、４ｄ及び４ｆは、白色発光ダイオードによって形成された発光ダイオード列６２、６３及び６４の発光に基づいて白色に発光するようになっており、光源４ｂ及び４ｅは、赤色発光ダイオードによって形成された発光ダイオード列６２の発光に基づく赤色光、緑色発光ダイオードによって形成された発光ダイオード列６３の発光に基づく緑色光及び青色発光ダイオードによって形成された発光ダイオード列６４の発光に基づく青色光のいわゆる加法混色によって変色自在な発光色をもって発光するようになっていてもよく、また逆に、光源４ａ、４ｃ、４ｄ及び４ｆは変色自在が発光色をもって発光するように、光源４ｂ及び４ｅが白色に発光するようになっていてもよい。
【００２７】
尚、本例の携帯型照明装置１は、六個の光源４ａ、４ｂ、４ｃ、４ｄ、４ｅ及び４ｆを具備しているが、例えば図８に示すように、更に三個の光源４ｇ、４ｈ及び４ｉを加えて合計九個であってもよい。斯かる場合には、例えば、光源４ａ、４ｃ、４ｄ、４ｆ及び４ｈは、白色発光ダイオードによって形成された発光ダイオード列６２、６３及び６４の発光に基づいて白色に発光するようになっており、光源４ｂ及び４ｅは、赤色発光ダイオードによって形成された発光ダイオード列６２の発光に基づく赤色光、緑色発光ダイオードによって形成された発光ダイオード列６３の発光に基づく緑色光及び青色発光ダイオードによって形成された発光ダイオード列６４の発光に基づく青色光のいわゆる加法混色によって変色自在な発光色をもって発光するようになっており、光源４ｇ及び４ｉは、例えば使用頻度の高い色を呈する発光ダイオードとしての黄色発光ダイオードによって形成された発光ダイオード列６２、６３及び６４の発光に基づいて黄色に発光するようになっていてもよく、このように、白色発光ダイオード、赤色発光ダイオード、緑色発光ダイオード、青色発光ダイオード、黄色発光ダイオード等によって形成された発光ダイオード列６２、６３及び６４の発光に基づいて白色、赤色、緑色、青色、黄色等の各色に発光するようになっていてもよく、また、光源４ｇ及び４ｉが互いに発光色の異なる発光ダイオードに基づいて形成されていてもよく、光源４ｇ及び４ｉの他の上述の光源においても夫々互いに発光色の異なるダイオードに基づいて形成されていてもよい。本例の携帯型照明装置１においては、光源４ａ、４ｂ、４ｃ、４ｄ、４ｅ、４ｆ、４ｇ、４ｈ及び４ｉは、夫々互いに独立して制御され、光源４ａ、４ｂ、４ｃ、４ｄ、４ｅ、４ｆ、４ｇ、４ｈ及び４ｉの発光は、上記制御に基づいて夫々互いに独立して調整されるようになっており、これにより、光源４ａ、４ｂ、４ｃ、４ｄ、４ｅ、４ｆ、４ｇ、４ｈ及び４ｉは、夫々互いに独自の発光を行うようになっている。
【００２８】
本例の携帯型照明装置１によれば、周縁２が四辺形状である前面３を向いて複数の光源４ａ、４ｂ、４ｃ、４ｄ、４ｅ及び４ｆが配設された筐体５と、筐体５の前面３の周縁２の第一の辺６に一縁７が当該第一の辺６を回転軸心６ａとして回転自在に取り付けられた第一の板状体８と、第一の辺６に相対する筐体５の前面３の第二の辺９に一縁１０が当該第二の辺９を回転軸心９ａとして回転自在に取り付けられた第二の板状体１１と、第一の辺６及び第二の辺９に隣接する筐体５の前面３の第三の辺１２に一縁１３が当該第三の辺１２を回転軸心１２ａとして回転自在に取り付けられている第三の板状体１４と、第一の辺６及び第二の辺９に隣接すると共に第三の辺１２に相対する筐体５の前面３の第四の辺１５に一縁１６が当該第四の辺１５を回転軸心１５ａとして回転自在に取り付けられている第四の板状体１７とを具備しており、第三の板状体１４及び第四の板状体１７の夫々の回転軸心１２ａ及び１５ａは、筐体５の前面３に沿って配された状態の第一の板状体８及び第二の板状体１１を当該第三の板状体１４及び第四の板状体１７の筐体５の前面３に向かう回転により覆うことができるように、第一の板状体８及び第二の板状体１１の夫々の回転軸心６ａ及び９ａに対して前方側に位置しているために、携帯型照明装置１を持ち運ぶ際において第一の板状体８、第二の板状体１１、第三の板状体１４及び第四の板状体１７が複数の光源４ａ、４ｂ、４ｃ、４ｄ、４ｅ及び４ｆを覆うように筐体５の前面３と平行状態になるまで折り畳むことができる一方、照明を行う際において第一の板状体８、第二の板状体１１、第三の板状体１４及び第四の板状体１７を展開することができ、而して、携帯時における装置全体のコンパクト化を実現し得て携帯性を向上させることができ、照明を行う際においても被照明体を確実に照らし得、しかも、持ち運び時においても光源等が破損する虞を低減させ得る。
【００２９】
携帯型照明装置１によれば、第三の板状体１４及び第四の板状体１７は、第三の板状体１４及び第四の板状体１７の回転軸心１２ａ及び１５ａに交差する方向に関して、筐体５の前面３に沿って配された状態の第三の板状体１４の一縁１３に相対する他の一縁２３と筐体５の前面３に沿って配された状態の第四の板状体１７の一縁１６に相対する他の一縁２４とが互いに接触する程度の長さＬ２を夫々有しているために、筐体５の前面３をより確実に覆うことができ、而して、持ち運び時に光源等が破損する虞を更に低減させ得る。
【００３０】
携帯型照明装置１によれば、第一の板状体８及び第二の板状体１１は、第一の板状体８及び第二の板状体１１の回転軸心６ａ及び９ａに交差する方向に関して、筐体５の前面３に沿って配された状態の第一の板状体８の一縁７に相対する他の一縁２１と筐体５の前面３に沿って配された状態の第二の板状体１１の一縁１０に相対する他の一縁２２とが互いに接触する程度の長さＬ１を夫々有しているために筐体の前面をより確実に覆うことができ、而して、持ち運び時に光源等が破損する虞を更に低減させ得る。
【００３１】
携帯型照明装置１によれば、第三の板状体１４及び第四の板状体１７のうちの少なくとも一つは、第一の板状体８及び第二の板状体１１のうちの少なくとも一方の筐体５の前面３から離反するｒ２方向の所定角以上の回転を禁止するように、当該第一の板状体８及び第二の板状体１１のうちの少なくとも一方を係止する係止部３１及び３３を具備しており、第三の板状体１４及び第四の板状体１７のうちの少なくとも一つは、第一の板状体８及び第二の板状体１１のうちの少なくとも他方の筐体５の前面３から離反するｒ２方向の所定角以上の回転を禁止するように、当該第一の板状体８及び第二の板状体１１のうちの少なくとも他方を係止する係止部３２及び３４を具備しているために、第一の板状体８、第二の板状体１１、第三の板状体１４及び第四の板状体１７を筐体５の前面３から離反するｒ２方向に回転させて複数の光源４ａ、４ｂ、４ｃ、４ｄ、４ｅ及び４ｆを露呈させ、照明可能な状態とした場合において、斯かる第一の板状体８、第二の板状体１１、第三の板状体１４及び第四の板状体１７の回転角を保持することができ、而して、折り畳み可能ながらにしてより好適な照明をも行い得る。
【図面の簡単な説明】
【００３２】
【図１】本発明の実施の形態の例の正面視説明図である。
【図２】図１に示す例のＩＩ−ＩＩ線断面矢視説明図である。
【図３】図１に示す例のＩＩＩ−ＩＩＩ線断面矢視説明図である。
【図４】図１に示す例の動作説明図である。
【図５】図１に示す例の動作説明図である。
【図６】図１に示す例の主に光源に関する正面視説明図である。
【図７】図１に示す例の主に光源に関する側面視説明図である。
【図８】本発明の実施の形態の他の例の正面視説明図である。
【符号の説明】
【００３３】
１  携帯型照明装置
４ａ、４ｂ、４ｃ、４ｄ、４ｅ、４ｆ、４ｇ、４ｈ、４ｉ  光源
５  筐体
８、１１、１４、１７  板状体
【図１】
2010062083.tif 000003
【図２】
2010062083.tif 000004
【図３】
2010062083.tif 000005
【図４】
2010062083.tif 000006
【図５】
2010062083.tif 000007
【図６】
2010062083.tif 000008
【図７】
2010062083.tif 000009
【図８】
2010062083.tif 000010